(57)【要約】  【課題】設計変更に至った要因を簡単に確実に分析でき、更に、要因文章を確実に自動的に作成し、この要因の分析と文章化を、こうした要因の情報を夫々含む複数の設計記録情報に対して統一性があるように行い、設計記録情報の作成及び設計支援を得るうえで非常に優れた、設計支援システムを提供する。  【解決手段】質問情報ファイル１７の中から、設計変更に至った要因の分析に必要な複数の質問を自動的に抽出して表示装置２３に表示させて出題し、出題された複数の質問に表示装置２３を介して回答し、この場合、先に出題した質問に対する回答結果に応じた質問を順次出題して、出題と回答とを対話形式にて行い、全回答結果に基づいて設計変更に至った要因を分析する。【選択図】図１
2008059226.tif 000002
【特許請求の範囲】
【請求項１】
製造物の設計変更に至った要因をコンピュータにより分析可能な設計支援システムであって、
前記要因を特定する為の複数の質問を記憶した質問情報記憶手段と、
前記質問情報記憶手段の中から前記要因の分析に必要な複数の質問を自動的に抽出して表示手段に表示させて出題する出題処理手段と、
前記出題処理手段で出題された複数の質問に表示手段を介して回答する為の回答手段とを備え、
前記出題処理手段は先に出題した質問に対する回答結果に応じた質問を順次出題して、前記出題と回答とが対話形式にて行われるように構成し、全回答結果に基づいて前記要因を分析するように構成されたことを特徴とする設計支援システム。
【請求項２】
前記質問情報記憶手段に複数の質問が階層構造にて記憶されており、
前記出題処理手段は、所定の先頭質問から最終質問以外の各質問に対して予め複数の質問を対応させておき、前記各質問の回答結果に応じて択一的に次の質問を決定して、複数の質問の出題順序を決定する出題順序決定手段を有することを特徴とする請求項１に記載の設計支援システム。
【請求項３】
前記要因を文章化する為の複数の要因文章分節を記憶した要因文章分節情報記憶手段と、前記回答手段による全回答結果に基づいて、前記要因文章分節情報記憶手段の中から前記要因を文章化するのに必要な複数の要因文章分節を抽出し組み合わせて要因文章を作成して表示手段に表示させる要因文章作成処理手段とを備えたとこを特徴とする請求項１又は２に記載の設計支援システム。
【請求項４】
前記要因文章分節情報記憶手段に記憶された少なくとも１つの要因文章分節は置換文章部分を有し、
前記要因文章作成処理手段は、前記要因文章の作成に供する要因文章分節の置換文章部分に、回答手段による回答結果に応じた置換フレーズを予め記憶された複数の置換フレーズの中から抽出し挿入することを特徴とする請求項３に記載の設計支援システム。
【請求項５】
前記要因を改善する為の着眼点を文章化する為の複数の着眼点文章分節を記憶した着眼点文章分節情報記憶手段と、
前記回答手段による全回答結果に基づいて、前記着眼点文章分節情報記憶手段の中から前記着眼点を文章化するのに必要な複数の着眼点文章分節を抽出し組み合わせて着眼点文章を作成して表示手段に表示させる着眼点文章作成手段と、
を備えたとこを特徴とする請求項１〜４の何れかに記載の設計支援システム。
【請求項６】
前記着眼点文章分節情報記憶手段に記憶された少なくとも１つの着眼点文章分節は置換文章部分を有し、
前記着眼点文章作成処理手段は、前記着眼点文章の作成に供する着眼点文章分節の置換文章部分に、回答手段による回答結果に応じた置換フレーズを予め記憶された複数の置換フレーズの中から抽出し挿入することを特徴とする請求項５に記載の設計支援システム。
【発明の詳細な説明】
【技術分野】
【０００１】
本発明は、製造物の設計変更に至った要因をコンピュータにより分析可能な設計支援システムに関するものである。
【背景技術】
【０００２】
従来、複数種類の製造物（自動車の部品、機構、装置、構造等）についての複数の設計記録情報を管理するために、複数の設計記録情報を夫々記載した複数の設計記録シートを作成し、これら複数の設計記録シートを保存管理することが行われ、特に、製造物の設計変更に係る設計記録情報の場合、その設計記録情報の中に、設計変更に至った要因、更に、その要因を改善する為の着眼点を記録しておくことで、今後、この設計記録情報（要因、着眼点）を閲覧して設計支援を得るうえで有益である。
【０００３】
ここで、特許文献１には、共有データベースに複数の設計の理由や根拠を含む設計補足情報が記憶され、クライアントコンピュータにより設計に関するメッセージが入力されサーバーコンピュータに送信されると、そのメッセージに関する設計補足情報がサーバーコンピュータにより共有データベースの中から検索され、その検索結果がクライアントコンピュータのディスプレイに表示される、設計作業支援システムが開示されている。
【０００４】
尚、この設計作業支援システムでは、クライアントコンピュータのディスプレイに、前記検索結果と共にそのリンク情報（例えば、「関連情報を見る」）が表示され、そのリンク情報に基づいて、クライアントコンピュータが、共有データベースに直接アクセスし、検索された設計補足情報を取得してディスプレイに表示させることができる。
【０００５】
【特許文献１】特開平９−２０４４５９号公報
【発明の開示】
【発明が解決しようとする課題】
【０００６】
前記のように、製造物の設計変更に係る設計記録情報の中に、設計変更に至った要因、その要因を改善する為の着眼点を記録しておくことは有益であるが、先ず、設計変更に至った要因を簡単に確実に分析できない、更には、その要因を改善する為の着眼点を簡単に確実に導出できないという問題がある。
【０００７】
しかも、分析された要因、導出された着眼点については、設計変更を行った者（設計記録情報を作成した者）によって異なり、複数の設計記録情報に対して統一性がなくなる虞が高く、また、要因の分析、着眼点の導出が行われたとしても、その要因、分析を簡単に確実に文章化することが難しく、その文章についても、複数の設計記録情報に対して統一性がなくなる虞が高く、結局、この設計記録情報（要因、着眼点）を後で閲覧して設計支援を得るうえで偏りが生じて全体的に優れたものにならない。
【０００８】
尚、複数の設計記録情報を夫々記載した複数の設計記録シートを作成し、これら複数の設計記録シートを保存管理するものでは、前記課題が顕著になる。尚、特許文献１には、前記課題及びその解決技術について開示されていない。
【０００９】
本発明の目的は、設計変更に至った要因を簡単に確実に分析でき、更に、要因文章を確実に自動的に作成し、この要因の分析と文章化を、こうした要因の情報を夫々含む複数の設計記録情報に対して統一性があるように行い、また、設計変更に至った要因を改善する為の着眼点を簡単に確実に導出でき、更に、着眼点文章を確実に自動的に作成し、この着眼点の導出と文章化を、こうした着眼点の情報を夫々含む複数の設計記録情報に対して統一性があるように行い、設計記録情報の作成及び設計支援を得るうえで非常に優れた、設計支援システムを提供することである。
【課題を解決するための手段】
【００１０】
請求項１の設計支援システムは、製造物の設計変更に至った要因をコンピュータにより分析可能な設計支援システムであって、前記要因を特定する為の複数の質問を記憶した質問情報記憶手段と、前記質問情報記憶手段の中から前記要因の分析に必要な複数の質問を自動的に抽出して表示手段に表示させて出題する出題処理手段と、前記出題処理手段で出題された複数の質問に表示手段を介して回答する為の回答手段とを備え、前記出題処理手段は先に出題した質問に対する回答結果に応じた質問を順次出題して、前記出題と回答とが対話形式にて行われるように構成し、全回答結果に基づいて前記要因を分析するように構成されたことを特徴とする。
【００１１】
この設計支援システムでは、出題処理手段により、質問情報記憶手段の中から、設計変更に至った要因の分析に必要な複数の質問が自動的に抽出されて、表示手段に表示されて出題され、回答手段により、出題処理手段で出題された複数の質問に表示手段を介して回答することができ、この場合、出題処理手段により、先に出題された質問に対する回答結果に応じた質問が順次出題されて、出題と回答とが対話形式にて行われ、全回答結果に基づいて、設計変更に至った要因が分析される。
【００１２】
請求項１の従属請求項として次の構成を採用可能である。
前記質問情報記憶手段に複数の質問が階層構造にて記憶されており、前記出題処理手段は、所定の先頭質問から最終質問以外の各質問に対して予め複数の質問を対応させておき、前記各質問の回答結果に応じて択一的に次の質問を決定して、複数の質問の出題順序を決定する出題順序決定手段を有する（請求項２）。
【００１３】
前記要因を文章化する為の複数の要因文章分節を記憶した要因文章分節情報記憶手段と、前記回答手段による全回答結果に基づいて、前記要因文章分節情報記憶手段の中から前記要因を文章化するのに必要な複数の要因文章分節を抽出し組み合わせて要因文章を作成して表示手段に表示させる要因文章作成処理手段とを備える（請求項３）。前記要因文章分節情報記憶手段に記憶された少なくとも１つの要因文章分節は置換文章部分を有し、前記要因文章作成処理手段は、前記要因文章の作成に供する要因文章分節の置換文章部分に、回答手段による回答結果に応じた置換フレーズを予め記憶された複数の置換フレーズの中から抽出し挿入する（請求項４）。
【００１４】
前記要因を改善する為の着眼点を文章化する為の複数の着眼点文章分節を記憶した着眼点文章分節情報記憶手段と、前記回答手段による全回答結果に基づいて、前記着眼点文章分節情報記憶手段の中から前記着眼点を文章化するのに必要な複数の着眼点文章分節を抽出し組み合わせて着眼点文章を作成して表示手段に表示させる着眼点文章作成手段とを備える（請求項５）。前記着眼点文章分節情報記憶手段に記憶された少なくとも１つの着眼点文章分節は置換文章部分を有し、前記着眼点文章作成処理手段は、前記着眼点文章の作成に供する着眼点文章分節の置換文章部分に、回答手段による回答結果に応じた置換フレーズを予め記憶された複数の置換フレーズの中から抽出し挿入する（請求項６）。
【発明の効果】
【００１５】
請求項１の設計支援システムによれば、質問情報記憶手段、出題処理手段、表示手段、回答手段を設けたので、出題処理手段により設計変更に至った要因の分析に必要な複数の質問を自動的に抽出し表示手段に表示させて出題し、回答手段により出題処理手段で出題された複数の質問に回答し、この場合、出題処理手段が先に出題した質問に対する回答結果に応じた質問を順次出題して、出題と回答とを対話形式にて行い、全回答結果に基づいて、設計変更に至った要因を簡単に確実に自動的に、こうした要因の情報を夫々含む複数の設計記録情報に対して統一性があるように分析でき、更に、全回答結果に基づいて、設計変更に至った要因を改善する為の着眼点を簡単に確実に自動的に、こうした着眼点の情報を夫々含む複数の設計記録情報に対して統一性があるように導出できるようにして、設計記録情報の作成及び設計支援を得るうえで非常に優れたものになる。
【００１６】
請求項２の設計支援システムによれば、質問情報記憶手段に複数の質問が階層構造にて記憶し、出題処理手段は、所定の先頭質問から最終質問以外の各質問に対して予め複数の質問を対応させておき、各質問の回答結果に応じて択一的に次の質問を決定して、複数の質問の出題順序を決定する出題順序決定手段を有するので、設計変更に至った要因を確実に分析し、更に、設計変更に至った要因を改善する為の着眼点を確実に導出するために、複数の適切な質問を適切な順序で自動的に出題することができる。
【００１７】
請求項３の設計支援システムによれば、要因文章分節情報記憶手段、要因文章作成処理手段を設けたので、回答手段による全回答結果に基づいて、設計変更に至った要因を文章化するのに必要な複数の要因文章分節を要因文章分節情報記憶手段中から抽出し組み合わせて、要因文章を自動的に作成し表示手段に表示させることができ、この要因の文章化を、こうした要因の情報を夫々含む複数の設計記録情報に対して統一性があるように行うことができる。
【００１８】
請求項４の設計支援システムによれば、要因文章の作成に供する要因文章分節の置換文章部分に、回答結果に応じた置換フレーズを予め記憶された複数の置換フレーズの中から抽出し挿入するので、置換文章部分を有する要因文章分節の汎用を高め、要因文章分節の数を減らして、適切な要因文章の作成が可能になる。
【００１９】
請求項５の設計支援システムによれば、着眼点文章分節情報記憶手段、着眼点文章作成処理手段を設けたので、回答手段による全回答結果に基づいて、設計変更に至った要因を改善する為の着眼点を文章化するのに必要な複数の着眼点文章分節を着眼点文章分節情報記憶手段の中から抽出し組み合わせて、着眼点文章を自動的に作成し表示手段に表示させることができ、この着眼点の文章化を、こうした着眼点の情報を夫々含む複数の設計記録情報に対して統一性があるように行うことができる。
【００２０】
請求項６の設計支援システムによれば、着眼点文章の作成に供する着眼点文章分節の置換文章部分に、回答結果に応じた置換フレーズを予め記憶された複数の置換フレーズの中から抽出し挿入するので、置換文章部分を有する着眼点文章分節の汎用を高め、着眼点文章分節の数を減らして、適切な着眼点文章の作成が可能になる。
【発明を実施するための最良の形態】
【００２１】
本発明の設計支援システムは、製造物の設計変更に至った要因をコンピュータにより分析可能なものであり、前記要因を特定する為の複数の質問を記憶した質問情報記憶手段と、前記質問情報記憶手段の中から前記要因の分析に必要な複数の質問を自動的に抽出して表示手段に表示させて出題する出題処理手段と、前記出題処理手段で出題された複数の質問に表示手段を介して回答する為の回答手段とを備え、前記出題処理手段は先に出題した質問に対する回答結果に応じた質問を順次出題して、前記出題と回答とが対話形式にて行われるように構成してある。
【実施例】
【００２２】
図１に示すように、設計支援システム１は、ホストコンピュータ２（サーバーコンピュータ２）、複数のユーザーコンピュータ３（端未コンピュータ３）を備え、このホストコンピュータ２と複数のユーザーコンピュータ３が、通信回線４（例えば、ＬＡＮ、ＷＡＮ、インターネット等）を介して互いに通信可能に接続されている。
【００２３】
ホストコンピュータ２は、ＣＰＵとＲＯＭとＲＡＭを有するコンピュータ本体１０、ハードディスク装置等からなる記憶装置１１、マウスやキーボードからなる入力装置１２、ディスプレイを有する表示装置１３等で構成され、記憶装置１１には、ユーザー情報ファイル１５、設計記録情報ファイル１６、質問情報ファイル１７、要因文章分節情報ファイル１８、着眼点文章分節情報ファイル１９が格納されている。
【００２４】
各ユーザーコンピュータ３は、ＣＰＵとＲＯＭとＲＡＭを有するコンピュータ本体２０、ハードディスク装置等からなる記憶装置２１、マウスやキーボードからなる入力装置２２、ディスプレイを有する表示装置２３、印字装置２４等で構成されている。
【００２５】
図２に示すように、ユーザー情報ファイル１５には、複数のユーザーのユーザー情報が記憶され、各ユーザー情報として「ユーザーＩＤ」「氏名」「パスワード」等のユーザーに関する複数の情報が記憶されている。
【００２６】
図３に示すように、設計記録情報ファイル１６には、複数種類の製造物（例えば、自動車の部品、機構、装置、構造）についての複数の設計記録情報が記憶され、設計変更に係る各設計記録情報として「管理番号」「作成部門」「作成者」「作成日」「・・・・・」「・・・・」・・・「要因文章」「着眼点文章」等の複数の情報が記憶されている。
【００２７】
図４に示すように、質問情報ファイル１７には、設計変更に至った要因を特定する為の複数の質問（質問１、質問２、質問３・・・）が記憶され、各質問は、その質問にYes やNoやその他等の複数の選択肢から選択して回答させる文章になっている。質問情報ファイル１７には、図５に示すように、複数の質問のうち所定の先頭質問から最終質問以外の各質問に対する回答結果に応じて次の質問が決まるように、複数の質問が階層構造にて記憶されている。
【００２８】
図６に示すように、要因文章分節情報ファイル１８には、設計変更に至った要因を文章化する為の複数の要因文章分節（要因文章分節１、要因文章分節２、要因文章分節３・・・）が予め記憶され、これら要因文章分節のうちの少なくとも１つの要因文章分節（例えば、要因文章分節２）は置換文章部分（枠で囲んだ部分）を有し、この置換文章部分に挿入する為の複数の置換フレーズ（置換フレーズ１、置換フレーズ２、置換フレーズ３・・・）が、要因文章分節情報ファイル１８には予め記憶されている。
【００２９】
図７に示すように、着眼点文章分節情報ファイル１９には、設計変更に至った要因を改善する為の着眼点を文章化する為の複数の着眼点文章分節（着眼点文章分節１、着眼点文章分節２、着眼点文章分節３・・・）が予め記憶され、これら着眼点文章分節のうちの少なくとも１つの着眼点文章分節（例えば、着眼点文章分節３）は置換文章部分（枠で囲んだ部分）を有し、この置換文章部分に挿入する為の複数の置換フレーズ（置換フレーズ１、置換フレーズ２、置換フレーズ３・・・）が着眼点文章分節情報ファイル１９に予め記憶されている。
【００３０】
図８に示すように、ホストコンピュータ２は、そのコンピュータ本体１０のＲＯＭ又は記憶装置１１に格納されたプログラムに基づいて、図示の機能ｆ２１〜ｆ２５を達成できるように構成され、図９に示すように、ユーザーコンピュータ３は、そのコンピュータ本体２０のＲＯＭ又は記憶装置２１に格納されたプログラムに基づいて、図示の機能ｆ３１〜ｆ３４を達成できるように構成されている。
【００３１】
通信機能ｆ２１，ｆ３１では、所定の通信プロトコールに基づいて、通信回線４を利用してホストコンピュータ２とユーザーコンピュータ３との間で各種情報が通信される。ユーザー情報編集登録機能ｆ２２では、ユーザー情報ファイル１５に新たにユーザー情報を登録したり、ユーザー情報ファイル１５に既に登録されているユーザー情報を変更又は削除したりすることができる。
【００３２】
設計記録情報編集登録機能ｆ２３では、設計記録情報ファイル１６に新たに設計記録情報を登録したり、設計記録情報ファイル１６に既に登録されている設計記録情報を変更又は削除したりすることができる。この場合、入力装置２２（１２）により編集登録操作を行うことにより、設計記録情報の変更又は削除を行う場合には、その対象とする設計記録情報を選択することで、表示装置２３（１３）に図１０に示す設計記録情報編集登録画面を表示させて行うことができる。
【００３３】
特に、設計変更に係る設計記録情報を登録する際、設計変更に至った要因を分析し、その要因を改善する為の着眼点を導出することができ、そのために、入力機能ｆ３２（回答機能ｆ３２）を備え、設計記録情報編集登録機能ｆ２３は、出題処理機能ｆ２３ａ、要因文章作成処理機能ｆ２３ｂ、着眼点文章作成処理機能ｆ２３ｃを備えている。
【００３４】
出題処理機能ｆ２３ａでは、質問情報ファイル１７の中から、設計変更に至った要因の分析に必要な複数の質問が抽出されて表示装置２３に表示されて出題され、回答機能ｆ３２では、出題処理機能ｆ２３ａで出題された複数の質問に表示装置２３を介して回答することができ、この場合、出題処理機能ｆ２３ａは先に出題した質問に対する回答結果に応じた質問を順次出題して、出題と回答とが対話形式にて行われる。
【００３５】
ここで、出題処理機能ｆ２３ａは出題順序決定機能ｆ２３ａ１を有し、この出題順序決定機能ｆ２３ａ１では、所定の先頭質問から最終質問以外の各質問に対して予め複数の質問を対応させておき、各質問の回答結果に応じて択一的に次の質問が決定されて、複数の質問の出題順序が決定される。
【００３６】
例えば、表示装置２３に図１０に示す設計記録情報編集登録画面が表示された状態で、その画面中の下部中央付近に表示された「要因分析」を指示することで、図１１に示すように、設計記録情報編集登録画面の表側に質問表示画面が表示され、この質問表示画面に、複数の質問が順次表示されていく。
【００３７】
具体的に説明すると、図１１に示すように、最初から複数（全７題）の質問が表示されるのではなく、先頭質問「前回出図時点に、その設計仕様に問題があったか？」が表示され、その質問に回答すると、その回答結果に応じた２題目の質問「その問題は出図前に気付くべきことだったか？」が表示され、こうして、最終質問を除く他の質問に回答する毎に、その回答結果に応じた質問が出題される。こうした行われた複数の質問とその回答結果は、この設計記録情報の一部の情報として設計記録情報ファイル１６に記憶される。
【００３８】
次に、要因文章作成処理機能ｆ２３ｂでは、出題処理機能ｆ２３ａで出題された全質問に対する回答機能ｆ３２による全回答結果に基づいて、要因文章分節情報ファイル１８の中から、設計変更に至った要因を文章化するのに必要な複数の要因文章分節が抽出され組み合わされて要因文章が作成されて表示装置２３に表示され、その際、要因文章の作成に供する要因文章分節の置換文章部分に、回答機能ｆ３２による回答結果に応じた置換フレーズが要因文章分節情報ファイル１８の中から抽出され挿入される。こうして作成された要因文章が設計記録情報ファイル１６に記憶される。
【００３９】
着眼点文章作成処理機能ｆ２３ｃでは、出題処理機能ｆ２３ａで出題された全質問に対する回答機能ｆ３２による全回答結果に基づいて、着眼点文章分節情報ファイル１９の中から、設計変更に至った要因を改善する為の着眼点を文章化するのに必要な複数の着眼点文章分節が抽出され組み合わされて着眼点文章が作成されて表示装置２３に表示され、その際、着眼点文章の作成に供する着眼点文章分節の置換文章部分に、回答機能ｆ３２による回答結果に応じた置換フレーズが着眼点文章分節情報ファイル１９の中から抽出され挿入される。こうして作成された着眼点文章が設計記録情報ファイル１６に記憶される。
【００４０】
例えば、出題された全質問に回答後、表示装置２３に図１０に示す設計記録情報編集登録画面が表示された状態で、その画面中の下部右側の「要因分析／改善着眼点」を指示することで、図１２に示すように、設計記録情報編集登録画面の表側に要因・着眼点表示画面が表示され、この要因・着眼点表示画面に、設計変更に至った要因「要因分析」の要因文章と、その要因を改善する為の着眼点「改善の着眼点」の着眼点文章が表示される。
【００４１】
尚、閲覧許可判定機能ｆ２４では、ユーザーコンピュータ３から受信されたユーザー情報とユーザー情報ファイル１５とに基づいて閲覧を許可するか否か判定され、設計記録情報取得機能ｆ２５では、閲覧許可判定機能ｆ２４による判定で閲覧が許可された場合、つまり、ユーザーコンピュータ３による要求を受けて、その要求を行ったユーザーのユーザー情報がユーザー情報ファイル１５に存在する場合に、ユーザーコンピュータ３から情報指定情報によって指定された設計記録情報が設計記録情報ファイル１６から取得され、その設計記録情報をユーザーコンピュータ３へ送信して閲覧可能になる。
【００４２】
以上説明した設計支援システム１によれば次の効果を奏する。
ホストコンピュータ２に、質問情報ファイル１７、出題処理手段ｆ２３ａを設け、ユーザーコンピュータ３に、表示装置２３、出題処理機能ｆ２３ａ、回答機能ｆ３２を設けたので、出題処理機能ｆ２３ａにより設計変更に至った要因の分析に必要な複数の質問を自動的に抽出し表示装置２３に表示させて出題し、回答機能ｆ３２により出題処理機能ｆ２３ａで出題された複数の質問に回答し、この場合、出題処理機能ｆ２３ａが先に出題した質問に対する回答結果に応じた質問を順次出題して、出題と回答とを対話形式にて行い、全回答結果に基づいて、設計変更に至った要因を簡単に確実に自動的に、こうした要因の情報を夫々含む複数の設計記録情報に対して統一性があるように分析でき、更に、全回答結果に基づいて、設計変更に至った要因を改善する為の着眼点を簡単に確実に自動的に、こうした着眼点の情報を夫々含む複数の設計記録情報に対して統一性があるように導出でき、設計記録情報の作成及び設計支援を得るうえで非常に優れたものになる。
【００４３】
質問情報ファイル１７に複数の質問が階層構造にて記憶し、出題処理機能ｆ２３ａは、所定の先頭質問から最終質問以外の各質問に対して予め複数の質問を対応させておき、各質問の回答結果に応じて択一的に次の質問を決定して、複数の質問の出題順序を決定する出題順序決定機能ｆ２３ａ１を有するので、設計変更に至った要因を確実に分析し、更に、設計変更に至った要因を改善する為の着眼点を確実に導出するために、複数の適切な質問を適切な順序で自動的に出題することができる。
【００４４】
ホストコンピュータ２に、要因文章分節情報記ファイル１８、要因文章作成処理機能ｆ２３ｂを設けたので、回答機能ｆ３２による全回答結果に基づいて、設計変更に至った要因を文章化するのに必要な複数の要因文章分節を要因文章分節情報記ファイル１８の中から抽出し組み合わせて、要因文章を自動的に作成し表示装置２３に表示させることができ、この要因の文章化を、こうした要因の情報を夫々含む複数の設計記録情報に対して統一性があるように行うことができる。
【００４５】
要因文章の作成に供する要因文章分節の置換文章部分に、回答機能ｆ３２による回答結果に応じた置換フレーズを要因文章分節情報記ファイル１８に予め記憶された複数の置換フレーズの中から抽出し挿入するので、置換文章部分を有する要因文章分節の汎用を高め、要因文章分節の数を減らして、適切な要因文章の作成が可能になる。
【００４６】
着眼点文章分節情報ファイル１９、着眼点文章作成処理機能ｆ２３ｃを設けたので、回答機能ｆ３２による全回答結果に基づいて、設計変更に至った要因を改善する為の着眼点を文章化するのに必要な複数の着眼点文章分節を着眼点文章分節情報ファイル１９の中から抽出し組み合わせて、着眼点文章を自動的に作成し表示装置２３に表示させることができ、この着眼点の文章化を、こうした着眼点の情報を夫々含む複数の設計記録情報に対して統一性があるように行うことができる。
【００４７】
着眼点文章の作成に供する着眼点文章分節の置換文章部分に、回答機能ｆ３２による回答結果に応じた置換フレーズを着眼点文章分節情報ファイル１９に予め記憶された複数の置換フレーズの中から抽出し挿入するので、置換文章部分を有する着眼点文章分節の汎用を高め、着眼点文章分節の数を減らして、適切な着眼点文章の作成が可能になる。
【００４８】
その他、前記開示事項以外の種々の変更を付加して実施可能である。例えば、前記ホストコンピュータ２とユーザーコンピュータ３の構成を、１つのコンピュータに設け、そのコンピュータ１台により設計支援システムを構築可能である。
【図面の簡単な説明】
【００４９】
【図１】実施例に係る設計支援システムの構成ブロック図である。
【図２】ユーザー情報ファイルを示す図である。
【図３】設計記録情報ファイルを示す図である。
【図４】質問情報ファイルを示す図である。
【図５】複数の質問の階層構造を示す図である。
【図６】要因文章分節情報ファイルを示すである。
【図７】着眼点文章分節情報ファイルを示すである。
【図８】ホストコンピュータの機能ブロック図である。
【図９】ユーザーコンピュータの機能ブロック図である。
【図１０】設計記録情報編集登録画面である。
【図１１】質問表示画面である。
【図１２】要因・着眼点表示画面である。
【符号の説明】
【００５０】
１  設計支援システム
２  ホストコンピュータ
３  ユーザーコンピュータ
１５  ユーザー情報ファイル
１６  設計記録情報ファイル
１７  質問情報ファイル
１８  要因文章分節情報ファイル
１９  着眼点文章分節情報ファイル
２３  表示装置
【図１】
2008059226.tif 000003
【図２】
2008059226.tif 000004
【図３】
2008059226.tif 000005
【図４】
2008059226.tif 000006
【図５】
2008059226.tif 000007
【図６】
2008059226.tif 000008
【図７】
2008059226.tif 000009
【図８】
2008059226.tif 000010
【図９】
2008059226.tif 000011
【図１０】
2008059226.tif 000012
【図１１】
2008059226.tif 000013
【図１２】
2008059226.tif 000014